(57)【要約】ウエークモードとハイバネーションモードを交互に行うハイバネーションサイクルで動作する無線端末を制御する方法は、第１の継続期間を有する第１のウエーク期間に第１の無線ネットワークと通信することおよび前記第１のウエーク期間に続く第２のウエーク期間に第２の無線ネットワークと通信することを含む。第２のウエーク期間は、第２の無線ネットワークが第１の無線ネットワークと異なることを検出することに応答可能なように、第１の継続期間より大きい第２の継続期間に延長される。第２の無線ネットワークに関連するネットワーク情報は第２のウエーク期間に受信される。
2009505579.tif 000002
【特許請求の範囲】
【請求項１】
下記を具備する方法:
ａ）第１のウエーク期間に第１の無線ネットワークと通信する；
ｂ）前記第１のウエーク期間に続く第２のウエーク期間に第２の無線ネットワークと通信する；
ｃ）前記第２の無線ネットワークが前記第１の無線ネットワークと異なることを検出することに応答して前記第２のウエーク期間を延長する。
【請求項２】
前記第２のウエーク期間に第２の無線ネットワークに関連するネットワーク情報を受信することをさらに備えた、請求項１の方法。
【請求項３】
前記無線端末は、ロウデューティサイクル（ＬＤＣ）ネットワーク内にＬＤＣ端末を備え、前記第１および第２の無線ネットワークと通信することはＬＤＣサービスを適用することを備える、請求項１の方法。
【請求項４】
前記第１および第２の無線ネットワークと通信することは、それぞれの無線ネットワークに登録することを備える請求項１の方法。
【請求項５】
前記第２の無線ネットワークが前記第１の無線ネットワークと異なることを検出することは、
ａ）前記第１のウエーク期間に前記第１の無線ネットワークから第１の識別（ＩＤ）番号を受信することと；
ｂ）前記第２のウエーク期間に前記第２の無線ネットワークから第２のＩＤ番号を受信することと；
ｃ）前記第１のＩＤ番号が前記第２のＩＤ番号と異なることを検出することと；
を備えた請求項１の方法。
【請求項６】
前記ネットワーク情報を受信することは、前記端末が通信しようとする前記第２の無線ネットワーク内のアドレスを含む専用メッセージを受信することを備えた、請求項２の方法。
【請求項７】
下記を具備する無線端末：
ａ）情報を第１および第２の無線ネットワークに送信するように構成された送信機；
ｂ）前記第１および第２のネットワークから情報を受信するように構成された受信機；
ｃ）
１）第１の継続期間を有する第１のウエーク期間に第１の無線ネットワークと通信するようにウエークモードとハイバネーションモードを交互に行うように；
２）前記第１のウエーク期間に続く第２のウエーク期間に前記第２の無線ネットワークと通信するように；
３）前記第２の無線ネットワークが前記第１の無線ネットワークと異なることを検出することに応答可能なように前記第２のウエーク期間を、前記第１の継続期間よりも大きい第２の継続期間に延長するように；
前記送信機と受信機を制御するように構成された制御モジュール。
【請求項８】
前記制御モジュールはさらに前記第２のウエーク期間に前記第２の無線ネットワークに関連するネットワーク情報を受信するようにさらに構成される、請求項７の無線端末。
【請求項９】
前記無線端末および前記第１および第２の無線ネットワークはロウデューティサイクル（ＬＤＣ）ネットワークを備える、請求項７の無線端末。
【請求項１０】
前記制御モジュールは、それぞれ前記第１および第２の無線ネットワークと通信するために前記第１および第２の無線ネットワークに登録するように前記送信回路および受信回路を動作するように構成される、請求項７の無線端末。
【請求項１１】
前記制御モジュールは、
ａ）前記第１のウエーク期間に前記受信機を介して前記第１の無線ネットワークから第１の識別（ＩＤ）番号を受信するように；
ｂ）前記第２のウエーク期間に前記受信機を介して前記第２の無線ネットワークから第２のＩＤ番号を受信するように；
ｃ）前記第１のＩＤ番号が前記第２のＩＤ番号と異なることを検出することにより前記第２の無線ネットワークが前記第１の無線ネットワークと異なることを検出するように；
構成される、請求項７の無線端末。
【請求項１２】
前記ネットワーク情報は、前記端末が通信しようとしている前記第２の無線ネットワーク内のアドレスを含む専用ダウンリンクメッセージを含む、請求項７の無線端末。
【発明の詳細な説明】
【関連出願】
【０００１】
この出願は、２００５年８月１５日に出願された米国仮出願第６０／７０８，６４９および２００５年１２月８日に出願された米国仮出願第６０／７４８，７３１の優先権を主張する。
【技術分野】
【０００２】
この発明は、一般に無線通信に関し、特にハイバネーションプロトコルを使用する無線端末のウエークアップ期間を制御する方法とシステムに関する。
【背景技術】
【０００３】
いくつかの無線通信アプリケーションにおいて、モバイル無線端末は、ハイバネーションモードとウエークアップモードを交互に行う。１つの典型的な例において、ハイバネーションモードは実質的にウエークアップモードより長い。従って、そのような装置をサポートするネットワークは、ロウデューティサイクル（ＬＤＣ）ネットワークと呼ばれ、そのようなネットワークにおいて動作するモバイル端末は、ＬＤＣ端末と呼ばれる。ＬＤＣ端末は、さまざまな位置トラッキング、タギング(tagging)、テレメトリ、および類似のアプリケーションにおいて使用される小型の通信装置である。ＬＤＣ端末は、各端末がわずかな比率の時間だけデータを送受信するためにウエークアップするように動作する。このロウデューティサイクル動作は、エアーインターフェースの利用および端末の電源からのエネルギー消費を最小にする。
【発明の開示】
【０００４】
いくつかのアプリケーションにおいて、無線端末は、異なる無線ネットワーク間を移動（ローミング）する能力を有する。特に、ハイバネーションサイクルで動作する無線端末はときどきウエークアップし、ネットワークに登録し、以前のウエークアップ期間に通信していたネットワーク以外の無線ネットワークと通信を開始する。
【０００５】
いくつかの実施形態において、最も最近に使用されたネットワーク以外のネットワークは、同じネットワーク内の連続する登録手続において送信されないであろうさらなるネットワーク情報の無線端末への新しいネットワークからの送信をトリガーする。端末とネットワークの間の通信へのこの情報の追加はより多くの時間を要求する。このネットワーク情報を端末が受信可能にするために、ときどき端末のウエークアップ期間の長さを延長することが望ましい。
【０００６】
開示された方法および装置の実施形態は、一方の無線ネットワークから他方のネットワークにローミングする無線端末を制御する。いくつかの実施形態において、端末内の制御モジュールは、現在のネットワークが、端末が以前のウエークアップ期間において通信したネットワークとは異なることを検出する。端末が現在のウエークアップモードで通信しているネットワークが、端末が以前のウエークモードで通信していたのと同じネットワークではないと判断されたなら、制御モジュールはウエークアップモードの長さを延長し、すべての所望のデータはウエークモードの終わり前に通信することができることを保証する。
【０００７】
いくつかの実施形態において、端末は無線ネットワークによるオーバーヘッドメッセージブロードキャストをモニタする。オーバーヘッドメッセージは典型的にはネットワーク識別（ＮＩＤ）番号および／またはいくつかの識別（ＳＩＤ）番号を備える。これらの実施形態において、端末はＮＩＤおよび／またはＳＩＤ番号を以前に記憶された値と比較し、ネットワークが変更されたか否かを決定する。
【０００８】
いくつかの実施形態において、拡張されたウエークアップ期間に端末は、端末が通信しようとするアプリケーションサーバーのアドレスのような、端末が加入した新しいネットワークに関するネットワーク情報を受信してもよい。
【０００９】
これらの制御方法を実施する無線端末および無線通信システムもまた開示される。
【００１０】
それゆえ、下記を具備するウエークモードとハイバネーションモードを交互に行うハイバネーションサイクルで動作する無線端末を制御するための方法が開示される：第１の期間を有する第１のウエーク期間に第１の無線ネットワークと通信する；前記第１のウエーク期間に続く第２のウエーク期間に第２の無線ネットワークと通信する；前記第２の無線ネットワークが前記第１の無線ネットワークと異なることを検出することに応答可能なように前記第２のウエーク期間を前記第１の期間より大きい第２の期間に延長する；前記第２のウエーク期間に前記第２の無線ネットワークに関連するネットワーク情報を受信する。
【００１１】
一実施形態において、無線端末はＬＤＣネットワークにおいてロウデューティサイクル（ＬＤＣ）端末を含む。そして第１および第２の無線ネットワークと通信することはＬＤＣサービスを適用することを含む。
【００１２】
他の実施形態において、第１および第２の無線ネットワークの一方は無線端末のホームネットワークを含む。そして第１および第２ネットワークの他方は、無線端末に対してフォーリン(foreign)ネットワークを含む。他の実施形態において、第１および第２の無線ネットワークは無線端末に対してフォーリンネットワークを含む。
【００１３】
さらに他の実施形態において、第１および第２の無線ネットワークと通信することはそれぞれの無線ネットワークに登録することを含む。
【００１４】
さらに他の実施形態において、第２の無線ネットワークが第１の無線ネットワークと異なることを検出することは、第１のウエーク期間に第１の無線ネットワークから第１の識別（ＩＤ）番号を受信することと、第２のウエーク期間に第２の無線ネットワークから第２のＩＤ番号を受信することと、第１のＩＤ番号が第２のＩＤ番号と異なることを検出することとを含む。
【００１５】
一実施形態において、ネットワーク情報を受信することは端末が通信しようとしている第２の無線ネットワーク内のアドレスを含む専用メッセージを受信することを含む。
【００１６】
また、下記を具備する無線端末が開示される：第１および第２の無線ネットワークに情報を送信するように構成された送信機；第１および第２のネットワークから情報を受信するように構成された受信機；第１の期間を有する第１のウエーク期間に第１の無線ネットワークと通信するように、第１のウエーク期間に続いて第２のウエーク期間に第２の無線ネットワークと通信するように、第２の無線ネットワークが第１の無線ネットワークと異なることを検出することに応答可能なように第２のウエーク期間を第１の期間より大きい第２の期間に延長するように、および第２のウエーク期間に第２の無線ネットワークに関連するネットワーク情報を受信するように、ウエークモードとハイバネーションモードを交互に行うハイバネーションサイクルにおいて送信機と受信機を制御するように構成された制御モジュール。
【００１７】
開示された方法と装置は、図面とひとまとめにして考えて、以下の実施形態の詳細な説明からより完全に理解されるであろう。
【発明を実施するための最良の形態】
【００１８】
図１は開示された方法および装置の一実施形態に従う、無線ロウデューティサイクル（ＬＤＣ）通信システム２０を概略的に図解するブロック図である。ＬＤＣシステム２０は、例えばセルラネットワーク、パーソナルコミュニケーションシステム（ＰＣＳ）または任意の他の適切なパブリックまたはプライベートな無線ネットワークからなる一般的な無線ネットワークの一部として動作してもよい。ＬＤＣシステム２０の異なる実施形態は、cdmaOne, CDMA2000,1xEVDO,UMTS,GSMまたは任意の他の適切な規格のような従来の無線ネットワークにより使用される任意の無線規格、プロトコルまたはエアーインターフェースを使用するように適合することができる。そのようなものとして、ＬＤＣシステム２０は、従来の無線ネットワークにより使用されている任意の周波数バンド上で動作するように適合することができる。
【００１９】
図１の実施形態において、システム２０は、２４Ａおよび２４Ｂで示される２つの無線ネットワーク２４からなる。２つのネットワークはインターネットのようなワイドエリアネットワーク（ＷＡＮ）２８により相互接続される。各無線ネットワーク２４は無線端末３２と通信する。この例では、２つの端末は３２Ａおよび３２Ｂで示される。通信は無線基地局４２を介して行われる。無線基地局４２は、各ネットワークに対して無線アクセスポイントとしてサービスする。いくつかの実施形態において、各無線ネットワーク２４はある地理的エリアをカバーする。この地理的エリアは、（図示しない）他の無線ネットワークのサービスエリアと重なっていてもよいし、重なっていなくてもよい。
【００２０】
基地局４２から端末３２へ送信された無線信号を用いて送信されたダウンリンクメッセージは、受信機４４により受信され、ダウンコンバートされ、フィルターされ、復調され、そうでなければ処理される。端末３２から基地局４２へ送信されたアップリンクメッセージは送信機４６により変調され、アップコンバートされ、フィルターされおよび増幅され、アップリンク信号を生成する。次に、アップリンク信号は基地局に送信される。
【００２１】
人、ペットおよび所有物を追跡するためのトラッキングアプリケーションのようないくつかのＬＤＣアプリケーションは、ＬＤＣ端末の位置を使用する。いくつかの実施形態において、端末３２は全地球測位システム（ＧＰＳ）受信機４８のような位置センサーを使用して端末３２の位置を決定する。端末３２はこの情報を基地局４２に送信する。下記に記載するように、いくつかの場合において、端末３２が一方の無線ネットワーク２４のサービスエリアを離れ、他方のネットワーク２４のサービスエリアに入った後に端末３２は、情報を受信および／または送信する。
【００２２】
端末３２内の制御モジュール５０はＬＤＣ端末３２のすべての制御機能および管理機能を実行する。開示された方法および装置の一実施形態に従って、端末３２は半二重モードで動作する。従って、端末３２は同時に送信および受信することができない。それゆえ他の機能の中で、制御モジュール５０は端末３２に送信モードと受信モードを交互に行わせる。また、制御モジュール５０は、端末３２と端末３２が通信している基地局４２との間で同期されたハイバネーションサイクルに従って、端末３２に、ウエークモードとハイバネーションモードとを交互に行わせる。送信モードと受信モードの両方がウエークモードの期間に生じることに留意する必要がある。開示された方法および装置の一実施形態に従って、送信または受信はハイバネーションモードの期間に生じない。
【００２３】
一般にハイバネーションモードにいるとき、端末のハードウエア機能のほとんどはバッテリ電力を節約するためにシャットダウンされる。いくつかの実施形態において、時間を維持し次のウエークアップ期間において端末を目覚めさせるのに必要なハードウエアのみを残して、ハードウエアのいくつか自体もシャットダウンされてもよい。連続するウエークアップ期間（すなわち、ハイバネーションモードの期間）の間の時間は、アプリケーションに応じて典型的に数分（またはそれより少ない）から数週間（またはそれより長い）の任意の値をとることができる。
【００２４】
特に、制御モジュール５０は、端末３２のローミングステータスに応答して端末３２が目覚めている期間（「ウエークアップ期間」と呼ばれる）を適応させる。適応の方法は以下に詳細に説明される。制御モジュール５０は、ディスクリートコンポーネントを用いてまたは集積回路（ＩＣ）内で実施されるデジタル回路のようなハードウエアを用いて実施されてもよい。あるいは、制御モジュール５０はマイクロプロセッサー上で実行されるソフトウエアを用いてまたはハードウエアエレメントおよびソフトウエアエレメントの組み合わせを用いて実施することができる。
【００２５】
図１の実施形態において、各無線ネットワーク２４はＬＤＣサーバー３４を備える。
【００２６】
ＬＤＣサーバー３４はネットワーク２４で使用される端末３２に関連する種々の管理機能を実行する。アプリケーションサーバー３５（ＬＤＣサーバー３４とは分離し固有である）は特定のＬＤＣアプリケーションを実行する。例えば、アプリケーションサーバー３５は、端末３２の位置をマップ上に表示し、および／またはアプリケーションのユーザーに端末３２を介してある制御機能を供給するウエブサーバーを備えていてもよい。アプリケーションサーバー３５は無線ネットワーク２４の内側または外側に位置していてもよい。典型的に、アプリケーションサーバー３５は、無線ネットワーク２４内の端末３２に送信されたダウンリンクメッセージのソースであり、端末３２から無線ネットワーク２４に送信されたアップリンクメッセージのデスティネーションである。
【００２７】
その端末３２を有する各無線ネットワーク２４の通信はモバイルスイッチングセンター（ＭＳＣ）３６により管理される。各ＭＳＣはその無線ネットワーク内の端末３２へのおよび端末３２からのメッセージのすべての交換機能およびルーティング機能を実行する。典型的に、端末３２が無線ネットワーク２４の１つに加入すると、端末３２はこのネットワーク２４のＭＳＣへの登録手続を実行する。端末３２は一般にシステム２０内の任意の無線ネットワークに登録し通信してもよいけれども、端末毎に無線ネットワーク２４の１つがそのホームネットワークとして定義される。ホームネットワーク（ときどき「フォーリンネットワーク」と呼ばれる）と異なる無線ネットワークと通信する端末は「ローミング」または「ビジティング(visiting)｝」端末と呼ばれる。そのホームネットワークと通信している端末は「ローカル」端末と呼ばれる。
【００２８】
一実施形態に従って、各無線ネットワーク２４は２つのデータベース、すなわちホームロケーションレジスタ（ＨＬＲ）３８およびビジターロケーションレジスタ（ＶＬＲ）４０を含む。各ＨＬＲ３８は、特定の無線ネットワーク２４がホームネットワークであるすべての端末３２に関連する情報を維持する。いつでも、これらの端末３２のいくつかは、ホームネットワークに登録されてもよく、いくつかはオフになってもよく、他はローミングしてもよい（すなわち、フォーリン無線ネットワークに登録される）。各ＶＬＲ４０は、現在その無線ネットワーク２４に登録されているローミング端末に関連する情報を維持する。端末３２が１つの無線ネットワーク２４から他方の無線ネットワークに移動するとき、ダウンリンクメッセージがそれに経路選択可能となるように、関連するルーティング情報が端末のホームネットワークのＨＬＲに送信される。端末がフォーリンネットワークに登録されると、フォーリンネットワークのＶＬＲは、ホームネットワークに対してルーティング情報で更新される。
【００２９】
図１の例示構成は２つの無線ネットワーク２４Ａおよび２４Ｂを示すけれども、システム２０は一般に任意の数の無線ネットワークを含んでいてもよい。さらに又はあるいは、各無線ネットワークは典型的に複数の基地局を備え、２以上のＭＳＣを備えていてもよい。
【００３０】
ダウンリンクメッセージがデスティネーション端末３２Ａに送信される典型的なトランザクションにおいて、デスティネーション端末のホームネットワーク２４Ａ内のアプリケーションサーバーは、端末３２Ａにアドレスされたメッセージを送信する。デスティネーション端末３２Ａは、そのホームネットワーク２４Ａに登録されてもよい。またはそれはローミングしてもよい。デスティネーション端末３２Ａがローミングしていない場合に、アプリケーションサーバー３５ＡはダウンリンクメッセージをＬＤＣサーバー３４Ａに供給する。次にＬＤＣサーバー３４Ａはそれを無線ネットワーク２４Ａ内のＭＳＣ３６Ａに送信する。ＭＳＣ３６Ａは、そのＨＬＲを問い合わせすることにより、適切なルーティング情報を決定し、ダウンリンクメッセージをデスティネーション端末３２Ａに送る。しかしながら、デスティネーション端末３２Ａがネットワーク２４Ａにおいてローミングしているなら、ルーティングパスは、（ネットワーク２４Ｂはデスティネーション端末３２Ａのホームであると仮定して）ローカルＭＳＣ３６Ｂを経由しＷＡＮ２８を介してフォーリンＭＳＣ３６Ａに行き、そこからデスティネーション端末３２Ａに行く。
【００３１】
典型的なアップリンクトランザクションにおいて、ソース端末３２Ａは、（ソース端末３２Ａがローミングしていないと仮定して）そのホームネットワークアプリケーションサーバー３５Ａにアドレスされた未承諾アップリンクメッセージを開始する。ソース端末３２Ａが現在そのホームネットワークに登録されているなら、アップリンクメッセージは、ローカルＭＳＣ３６ＡおよびＬＤＣサーバー３４Ａを介してアプリケーションサーバー３５Ａに送られる。他方、ソース端末３２Ａがフォーリンネットワーク２４Ａに登録されているなら、フォーリンネットワーク２４ＡのＭＳＣ３６Ａはアップリンクメッセージを受信し、例えば、ソース端末のホームネットワーク２４Ｂに情報を適切に送るためにＶＬＲ４０Ａを問い合わせし、ＷＡＮ２８を介してフォーリンＭＳＣ３６Ａからのアップリンクメッセージを端末のホームネットワーク２４ＢのＭＳＣ３６Ｂに送り、そこから、ホームネットワークのＬＤＣサーバー３４Ｂを介してアプリケーションサーバー３５Ｂに送る。
【００３２】
一般に、端末３２Ａが無線ネットワーク２４Ａとの通信を開始すると、端末３２Ａは最初にネットワーク２４Ａへの登録手続を実行する。いくつかの実施形態において、端末３２Ａは、所定の登録タイムアウトに従って周期的に無線ネットワーク２４Ａへの登録を更新する。そのような場合、端末３２Ａがハイバネーションからウエークアップすると、端末３２Ａは、登録タイムアウトが満了したか否かをチェックする。満了されたなら、端末３２Ａはネットワーク２４Ａへ再登録し、タイムアウトをリセットする。「暗黙の登録」と呼ばれるあるイベントは、ときどき登録タイムアウトをリセットする目的のための登録として考えられる。例えば、端末３２Ａが無線ネットワーク２４Ａにトラヒックチャネルをセットアップするなら、このイベントは暗黙の登録としてカウントされる。ショートメッセージサービス（ＳＭＳ）を用いる場合のように、共通チャネルを介した通信は典型的に登録とは考えない。代わりの実施形態において、端末３２Ａはハイバネーションからウエークアップするたびに無線ネットワーク２４Ａへ登録する。
【００３３】
いくつかの実施形態において、端末３２Ａがウエークアップした後に、端末３２Ａは通信しようと意図している無線ネットワーク２４Ａによりブロードキャストされたオーバーヘッドメッセージをモニタする。オーバーヘッドメッセージは典型的には、無線ネットワークを識別するネットワーク識別（ＮＩＤ）番号および／またはＭＳＣ３６Ａを識別するシステム識別（ＳＩＤ）番号を含む。
【００３４】
端末が一方の無線ネットワーク２４Ｂから他方のネットワーク２４Ａに移動した後最初にウエークアップすると、端末３２Ａは、オーバーヘッドメッセージからＮＩＤ番号および／またはＳＩＤ番号をデコードし、それらを以前に記憶したＳＩＤおよび／またはＮＩＤ値と比較する。変更がこれらのパラメーターにおいて検出されるなら、端末３２Ａは新しいネットワーク２４Ａに移動したことを理解し、新しいネットワーク２４Ａへの登録手続を開始する。新しいネットワーク２４Ａへの登録は典型的に上述した登録タイムアウトのステータスを無視する。
【００３５】
いくつかの実施形態において、ＮＩＤはＳＩＤのサブセットであるようにＮＩＤとＳＩＤの間にヒエラルキーがある。これらの場合において、（ＮＩＤ値にかかわらず）ＳＩＤが変更されたときまたはＮＩＤとＳＩＤの両方が変更されたとき、端末３２Ａは新しいネットワーク２４Ａにいると結論づける。
【００３６】
いくつかの実施形態において、新しいネットワーク２４Ａへの登録手続に応答して、アプリケーションサーバー３５Ａは端末が加入したＬＤＣネットワーク２４Ａに関する端末３２Ａネットワーク情報を送信する。例えば、いくつかの実施形態において、ネットワーク情報は、関連するアプリケーションサーバー３５Ａのアドレスのような、アップリンクＬＤＣメッセージを送信するためのアドレスを含む専用ダウンリンクメッセージを含む。さらに又はあるいは、アプリケーションサーバー３５Ａおよび／またはＬＤＣサーバー３４Ａは、新しいネットワークへの登録時に任意の他のネットワーク情報を端末３２Ａに送信してもよい。
【００３７】
さらなるネットワーク情報がアプリケーションサーバー３５Ａから送信されるので、新しく加入したネットワーク２４Ａへの登録手続は、典型的に同じネットワーク２４Ｂ内の連続した登録手続の場合よりもより多くのデータの転送を含む。このため、端末３２Ａが新しいネットワーク２４Ａ（すなわち、以前のウエークアップ期間で登録したネットワーク２４Ｂとは異なるネットワーク２４Ａ）へ登録すると、制御モジュール５０Ａは、端末３２Ａのウエークアップ期間の長さを延長し、さらなるデータを転送可能にする。
【００３８】
典型的なアプリケーションにおいて、ウエークアップ期間の公称期間は１０−３０ｍｓのオーダーである。新しいネットワークを結合するとき、新しいウエークアップ期間の継続期間は典型的に２倍又は３倍になることが望ましい。
【００３９】
図２は開示された方法および装置の一実施形態に従って、端末３２のウエークアップ期間を制御するための方法を概略的に図解するフローチャートである。上述したように、端末３２Ａが同期されたハイバネーションサイクルで動作することから方法が始まる。適切な時刻において、制御モジュール５０Ａは、ウエークアップステップ６０において、端末３２Ａの受信機４４Ａ、送信機４６Ａおよび／または他のコンポーネントをウエークアップする。
【００４０】
ウエークアップの後で、制御モジュール５０は、端末３２Ａが通信しようとする現在の無線ネットワーク２４Ａが以前のウエークアップ期間において通信していた無線ネットワーク２４Ｂと同じかまたは異なるかをチェックする。これはネットワーク変更チェックステップ６２において生じる。いくつかの実施形態において、端末３２Ａは無線ネットワーク２４Ａによりブロードキャストされたオーバーヘッドメッセージをモニタし、これらのオーバーヘッドメッセージからＳＩＤ番号および／またはＮＩＤ番号をデコードする。次に、制御モジュール５０Ａは、デコードされたＳＩＤおよび／またはＮＩＤ識別番号を以前のウエークアップ期間で受信した識別番号または番号と比較する。これらの番号の変更はネットワークの変更を示してもよい。あるいは、この目的のために任意の他の適切な機構が端末３２Ａにより使用されることができる。
【００４１】
現在の無線ネットワーク２４Ａが以前のウエークアップ期間で検出されたネットワークと同じであると制御モジュール５０Ａが結論を下すなら、制御モジュールは通常ハイバネーションステップ７０において通常ウエークアップ／ハイバネーションサイクルを継続する。上で説明したように、通常ハイバネーションサイクルの一部として、端末３２Ａは、無線ネットワーク２４Ａへの登録を更新してもよい。制御モジュール５０Ａは次のウエークアップ期間で端末３２Ａをウエークアップし、方法は、上のウエークアップステップ６０に戻る。
【００４２】
他方、現在の無線ネットワーク２４Ａが以前のウエークアップ期間において以前に検出されたネットワーク２４Ｂと異なると制御モジュール５０Ａが結論を下すなら、端末３２Ａは新しい登録ステップ６４において新しいネットワーク２４Ａに登録する。
【００４３】
新しいネットワークへの登録に応答して、アプリケーションサーバー３５Ａは、上述したように、端末３２Ａに専用ダウンリンクメッセージを送信する。このメッセージを受信するのに必要なさらなるデータ転送を可能にするために、制御モジュール５０Ａは延長ステップ６６においてウエークアップ期間の長さを延長する。
【００４４】
延長されたウエークアップ期間に、端末３２Ａの受信機４４Ａは、通信ステップ６８において基地局４２Ａから送信されたダウンリンクデータを受信する。いくつかの実施形態において、ダウンリンクデータは、新しいＬＤＣネットワーク２４Ａに関するさらなるネットワーク情報を運ぶ専用ダウンリンクメッセージを備える。ダウンリンクデータを受信することに加えて、端末３２Ａは、延長されたウエークアップ期間に基地局４２Ａを介して新しいネットワーク２４Ａとの任意のさらなる通信を実行してもよい。これらのさらなる通信機能は典型的にシステム２０により実行されるＬＤＣサービスの特定の機能性に依存し、この特許出願の範囲外である。
【００４５】
このウエークアップ期間のための通信機能を完了すると、端末３２Ａは、ハイバネーションステップ７０において、通常のハイバネーションサイクルに従ってハイバネーションモードに戻る。ウエークアップ期間の長さは、ネットワーク変更を仮定しないデフォルト値にリセットされる。再び端末をウエークアップさせるための時間がくると、方法は上のウエークアップステップ６０に戻る。
【００４６】
本明細書に記載した方法とシステムは、主にＬＤＣ端末のウエークアップ期間を制御することに関連するけれども、これらの方法とシステムはまたハイバネーションサイクルで動作する他のタイプの無線端末におけるウエークアップ期間を制御するために使用することができる。そのような端末は、例えば、ページャー、携帯電話、テレメトリトランスポンダおよび無線周波数識別（ＲＦＩＤ）トランスポンダを含んでいてもよい。
【００４７】
従って、上に記載した実施形態は一例として引用され、この発明は上文に特に図示され、記載されたものに限定されないことが理解されるであろう。むしろ、この発明の範囲は上に記載した種々の特徴のコンビネーションおよびサブコンビネーションの両方を含むとともに上述の記載を読んだ当業者に生じるであろうおよび従来技術に開示されていない変形および変更を含む。
【図面の簡単な説明】
【００４８】
【図１】図１は開示された方法および装置の一実施形態に従って、無線通信システムを概略的に図解するブロック図である。
【図２】図２は開示された方法および装置の一実施形態に従って、無線端末のウエークアップ期間を制御するための方法を概略的に図解するフローチャートである。
【図１】
2009505579.tif 000003
【図２】
2009505579.tif 000004
【国際調査報告】
2009505579.tif 000005
2009505579.tif 000006
2009505579.tif 000007